(57)【特許請求の範囲】
【請求項１】
圧縮機（５）が収納される機械室（９）と、ファン（６）が収納される風通路室（１０）とが仕切板（８）にて仕切られ、この仕切板（８）にリアクタ（１１）が取付けられた空気調和機の室外機において、上記仕切板（８）のリアクタ取付部（１３）の外周側に、上記リアクタ（１１）側への水の浸入を防止するため突隆部（２２）を周設し、上記突隆部（２２）の上辺部（２５）に、水が上記リアクタ（１１）を避ける方向へ流下する水案内用傾斜面（４０）を形成し、さらに上記突隆部（２２）の下辺部（２６）に、上記突隆部（２２）の外周に沿って流下した水を下方へと案内する凹溝（４１）を連設したことを特徴とする空気調和機の室外機。
【発明の詳細な説明】
【０００１】
【発明の属する技術分野】
この発明は、空気調和機の室外機に関するものである。
【０００２】
【従来の技術】
空気調和機の室外機は、その室外機ケーシングに、圧縮機及びファン等が内装され、仕切板にて、圧縮機が収納される機械室と、ファンが収納される風通路室とに仕切られる。仕切板には、リアクタが取付けられ、この仕切板の上方には、電装品箱が配設される。そして、この仕切板と電装品箱との間の隙間等から、リアクタ側へ水が浸入する場合があり、そのため、リアクタへの水浸入防止手段を設ける必要があった。水浸入防止手段としては、従来では、上記電装品箱の一部を水浸入防止形状に形成したり、水浸入防止用のシール体を付設したりして構成していた。
【０００３】
【発明が解決しようとする課題】
ところで、上記のように電装品箱の一部を水浸入防止形状に形成するものでは、この電装品箱を複雑な形状に形成する必要があり、その製造が面倒となると共に、製造コスト及び輸送コストが増加していた。また、水浸入防止用のシール体を使用するものでは、別途このシール体を製造する必要があり、組立作業工程が増加して面倒となると共に、コスト高になっていた。
【０００４】
この発明は、上記従来の欠点を解決するためになされたものであって、その目的は、リアクタへの水の浸入を確実に防止することが可能であって、しかもコストの低減を図ることが可能な空気調和機の室外機の提供にある。
【０００５】
【課題を解決するための手段】
そこで請求項１の空気調和機の室外機は、圧縮機５が収納される機械室９と、ファン６が収納される風通路室１０とが仕切板８にて仕切られ、この仕切板８にリアクタ１１が取付けられた空気調和機の室外機において、上記仕切板８のリアクタ取付部１３の外周側に、上記リアクタ１１への水の浸入を防止するため突隆部２２を周設し、上記突隆部（２２）の上辺部（２５）に、水が上記リアクタ（１１）を避ける方向へ流下する水案内用傾斜面（４０）を形成し、さらに上記突隆部（２２）の下辺部（２６）に、上記突隆部（２２）の外周に沿って流下した水を下方へと案内する凹溝（４１）を連設したことを特徴としている。
【０００６】
上記請求項１の空気調和機の室外機では、仕切板８のリアクタ取付部１３の外周側に、上記リアクタ１１への水の浸入を防止する突隆部２２を周設しているので、リアクタ１１側へ水が流れようとしても、水は、この突隆部２２を乗り越えられず、リアクタ１１側へ浸入できない。このため、リアクタ１１の水濡れが防止され、このリアクタ１１の保護が可能となり、このリアクタ１１を長期に渡って、リアクタとしての機能を発揮させることが可能となる。また、上記突隆部２２の水案内用傾斜面４０にて、上記リアクタ１１を避ける方向へ水が流下する水流路を形成でき、これによって、リアクタ１１側への水浸入防止効果の向上を図ることができると共に、上記凹溝４１によって水の下方への誘導案内が可能となる。
【０００９】
【発明の実施の形態】
次に、この発明の空気調和機の室外機の具体的な実施の形態について、図面を参照しつつ詳細に説明する。図３は、側板、天板、及び前板等を省略した状態の室外機の斜視図を示し、この室外機は、底板１に上記側板を立設すると共に、天板、前板、及び閉鎖弁カバー等を組み付けてなる室外機ケーシング２を備える。そして、この室外機ケーシング２には、熱交換器３と、防音材４に覆われた圧縮機５と、ファン６等が内装される。なお、底板１の側部には、閉鎖弁取付板７が立設されている。
【００１０】
また、この室外機ケーシング２は、仕切板８にて、上記圧縮機５が収納される機械室９と、上記ファン６が収納されるが収納される風通路室１０とに区画される。そして、図示省略の電装品箱がこの仕切板８上に配置される。すなわち、電装品箱は仕切板８上方において機械室９と風通路室１０とに跨がって配置されている。
【００１１】
そして、仕切板８の機械室９側の一面１２の上部位置に、リアクタ１１が取付けられる。すなわち、図１に示すように、仕切板８は、その機械室９側の一面１２の上部位置に、リアクタ取付部１３が設けられ、このリアクタ取付部１３にリアクタ１１が、図示省略の取付板を介して、又は直接に、ボルト部材をネジ孔１４に螺着することによって取付けられる。また、リアクタ取付部１３は、概略矩形面からなり、その上辺の一方側（室外機ケーシング２の裏面側）を斜め下方に傾斜させた形状となっている。そしてその内部に、縦部１７ａと横部１７ｂとが交差されてなる略Ｔの字状の凹窪部１７が形成され、凹窪部１７の交差部に、大貫孔１８が設けられ、縦部１７ａに、中貫孔１９が設けられ、横部１７ｂに、小貫孔２０が設けられている。また、下方の隅部には、係止片２１、２１が設けられている。
【００１２】
リアクタ取付部１３の外周側には、上記リアクタ１１への水の浸入を防止する突隆部２２が周設されている。この突隆部２２は、取付けられるリアクタ１１側へ突出し、図１に示すように、一対の縦辺部２３、２４と、上辺部２５と、下辺部２６とからなり、各辺部が連続して絞り加工にて形成されている。縦辺部２３以外の縦辺部２４と上辺部２５と下辺部２６は、断面が台形状（図２参照）とされる。すなわち、突隆部２２は、全周に配設される内側の傾斜壁３０と、全周に配設される上壁３１と、縦辺部２３の外側を省いて配設される外側の傾斜壁３２とを備える。また、縦辺部２３の外側は、上壁３１から上方へ傾斜する第１部３３と、上壁３１から下方へ傾斜する第２部３４と、上壁３１から上方へ傾斜する第３部３５とが形成される。第１部３３から突隆部３６が連設され、第２部３４から凹窪部３７が連設され、第３部３５から突隆部３８が連設される。
【００１３】
ところで、上記突隆部２２の上辺部２５は、リアクタ取付部１３の上辺に対応して、縦辺部２４に向かって順次下方向へ傾斜する傾斜部３９が設けられる。このため、この上辺部２５の外側の傾斜面３２の縦辺部２４側に、水がリアクタ１１を避ける方向へ流下する水案内用傾斜面４０が、形成されることになる。すなわち、この仕切板８の一面１２側から見て、水案内用傾斜面４０は、水平線Ａに対して所定傾斜角度θ（例えば、図例のように、約２０°とすることができる。）を成すように傾斜し、水を室外機ケーシング２の裏面側へ案内することが可能となる。
【００１４】
なお、突隆部２２の下方には、この突隆部２２の下辺部２６から連設される凹溝４１が設けられ、さらに、この凹溝４１には、上記突隆部３８の傾斜壁４２（この傾斜壁４２は上記第３部３５から連続して形成されている）が、連結用溝４３を介して連通される。すなわち、この凹溝４１は、この突隆部２２の外周に沿って流下した水を下方へ案内することができる。
【００１５】
上記のように構成した仕切板８は、図３に示すように、底板１に、圧縮機５と熱交換器３とファン６等が取付けられた状態で、圧縮機５とファン６と間に、上方から差し込まれる。そして、ボルト部材４４を底板１等に螺着して、この仕切板８を底板１から立設した状態とした後、側板と天板と前板等が組み付けられ、この室外機が組み立てられることになる。
【００１６】
従って、このリアクタ取付部１３に、リアクタ１１を取り付けた状態の仕切板８では、このリアクタ１１の外周側が、突隆部２２にて包囲されることになる。この状態で、上方から、つまり図示省略の電装品箱と仕切板８との間の隙間を通って、風通路室１０側から水がリアクタ１１側へ流ようとした場合において、リアクタ１１を包囲している突隆部２２の上辺部２５が水を受け止め、この水は、この上辺部２５の水案内用傾斜面４０を介して縦辺部２４に沿って流下して下方へ流れる。すなわち、従来のように、電装品箱を複雑な形状に加工したり、水浸入防止用のシール体を別途付設したりすることなく、上記突隆部２２を形成することによって、リアクタ１１側への水の浸入防止と、水のリアクタ１１を避ける方向への案内とが可能となり、リアクタ１１の水濡を防止でき、リアクタ１１を長期に渡って、リアクタとしての機能を発揮することが可能となる。また、この突隆部２２は、上記のように、絞り加工にて形成されるので、突隆部２２を形成することは、いわゆるビードを形成することになり、仕切板８の強度向上を図ることが可能となる。
【００１７】
以上にこの発明の具体的な実施の形態について説明したが、この発明は上記形態に限定されるものではなく、この発明の範囲内で種々変更して実施することができる。突隆部２２の突隆高さ及び水案内用傾斜面４０の傾斜角度θ等を、流下してきた水を、受けることができ、しかも上記リアクタ１１を避ける方向へ流下させることができる範囲で、自由に変更できる。また、上記実施の形態では、水案内用傾斜面４０を上辺部２２の一部に形成しているが、突隆部２２の上辺部２５の全体を傾斜させることによって、この上辺部２５の傾斜面３２の全体をもって水案内用傾斜面４０としてもよい。
【００１８】
【発明の効果】
以上のように請求項１の空気調和機の室外機よれば、リアクタの水濡れが防止され、このリアクタの保護が可能となり、リアクタを長期に渡って、リアクタとしての機能を発揮させることが可能となる。従って、従来のように、電装品箱を水浸入防止形状とする必要がなくなると共に、別途他の部品を形成する必要もなくなり、仕切板の製造が容易となって、製造コストの低減を図ることが可能となる。さらに、室外機の組立作業が容易となると共に、輸送コストの低減を図ることが可能となる。また、突隆部を形成することは、強度向上を図ることができるビードを形成することであり、仕切板の強度向上を図ることが可能となる。また、上記突隆部の水案内用傾斜面にて、上記リアクタを避ける方向へ水が流下する水流路を形成でき、これによって、リアクタ側への水浸入防止効果の向上を図ることができると共に、上記凹溝によって水の下方への誘導案内が可能となる。
【図面の簡単な説明】
【図１】本発明の一実施の形態である空気調和機の室外機の仕切板の要部側面図である。
【図２】空気調和機の室外機の簡略斜視図である。
【図３】図１のＡ−Ａ線拡大断面図である。
【符号の説明】
５  圧縮機
６  ファン
８  仕切板
９  機械室
１０  風通路室
１３  リアクタ取付部
２２  突隆部
２５  上辺部
４０  水案内用傾斜面
【図１】
0003564603.tif 000002
【図２】
0003564603.tif 000003
【図３】
0003564603.tif 000004